(57)【要約】【課題】ユーザの操作結果を適切に反映した操作画面とする。【解決手段】ナビゲーション装置は、複数の階層により構成されて階層ごとに複数種類の操作ボタンが配置された操作画面において、ユーザにより選択された操作ボタンが処理の実行に反映されたときの操作ボタンの選択回数を記録しておく。操作開始時には、過去に記録された選択回数に基づいて、操作ボタンごとに使用頻度を算出し（ステップＳ４０）、算出した使用頻度に基づいて、操作画面における操作ボタンの表示形態を変化させる（ステップＳ６０）。【選択図】図１０
2010038620.tif 000002
【特許請求の範囲】
【請求項１】
複数の階層により構成されて前記階層ごとに複数種類の操作ボタンが配置された操作画面を表示モニタに表示し、前記操作ボタンのいずれかがユーザにより選択されると、選択された操作ボタンに応じて前記操作画面の階層を順次遷移し、最下位階層の操作画面において選択された操作ボタンに応じた処理を実行するナビゲーション装置であって、
前記操作画面において前記ユーザにより選択された操作ボタンが前記処理の実行に反映されたときの前記操作ボタンの選択回数を記録する記録手段と、
前記記録手段により記録された選択回数に基づいて、前記操作ボタンごとに使用頻度を算出する算出手段と、
前記算出手段により算出された使用頻度に基づいて、前記操作画面における前記操作ボタンの表示形態を変化させる表示変化手段とを備えることを特徴とするナビゲーション装置。
【請求項２】
請求項１に記載のナビゲーション装置において、
前記操作ボタンは、前記操作画面のうち目的地の設定方法を選択するための目的地メニュー画面に遷移するための目的地ボタンを含み、
前記ユーザにより前記目的地ボタンが選択された場合、前記目的地メニュー画面において選択された設定方法で目的地が設定され、その目的地までの経路が探索されたときに、前記目的地ボタンが前記処理の実行に反映されたと判断することを特徴とするナビゲーション装置。
【請求項３】
請求項２に記載のナビゲーション装置において、
前記目的地メニュー画面には、前記操作ボタンとして、住所の入力による目的地の設定方法を選択するための住所ボタンと、電話番号の入力による目的地の設定方法を選択するための電話番号ボタンと、名称の入力による目的地の設定方法を選択するための名称ボタンと、ジャンルの入力による目的地の設定方法を選択するためのジャンルボタンとのいずれか少なくとも一つが配置されており、
前記ユーザにより前記目的地ボタンが選択された場合、前記目的地メニュー画面において前記ユーザにより前記住所ボタン、前記電話番号ボタン、前記名称ボタンまたは前記ジャンルボタンのいずれかが選択された後、当該選択された操作ボタンに対応する設定方法で目的地が設定され、その目的地までの経路が探索されたときに、当該選択された操作ボタンと前記目的地ボタンとが前記処理の実行に反映されたと判断することを特徴とするナビゲーション装置。
【請求項４】
請求項１〜３のいずれか一項に記載のナビゲーション装置において、
前記操作ボタンは、前記操作画面のうち検索対象とする周辺施設の種類を選択するための周辺検索メニュー画面に遷移するための周辺検索ボタンを含み、
前記ユーザにより前記周辺検索ボタンが選択された場合、前記周辺検索メニュー画面において選択された種類の周辺施設が検索され、検索された周辺施設のいずれかが選択されたときに、前記周辺検索ボタンが前記処理の実行に反映されたと判断することを特徴とするナビゲーション装置。
【請求項５】
請求項４に記載のナビゲーション装置において、
前記周辺検索メニュー画面には、異なる施設の種類にそれぞれ対応する複数の操作ボタンが配置されており、
前記ユーザにより前記周辺検索ボタンが選択された場合、前記周辺検索メニュー画面において前記ユーザにより前記複数の操作ボタンのいずれかが選択された後、当該選択された操作ボタンに対応する種類の周辺施設が検索されたときに、当該選択された操作ボタンと前記周辺検索ボタンとが前記処理の実行に反映されたと判断することを特徴とするナビゲーション装置。
【請求項６】
請求項１〜５のいずれか一項に記載のナビゲーション装置において、
前記操作ボタンは、前記操作画面の表示を終了して地図画面に戻るための地図表示ボタンを含み、
前記地図表示ボタンは、前記最下位階層の操作画面において表示され、
前記処理が実行された後に前記ユーザにより前記地図表示ボタンが選択されて前記地図画面に戻った場合、前記地図表示ボタンが表示されている操作画面よりも上位階層の操作画面においてそれまでに前記ユーザにより選択された操作ボタンが前記処理の実行に反映されたと判断することを特徴とするナビゲーション装置。
【請求項７】
請求項１〜６のいずれか一項に記載のナビゲーション装置において、
前記操作ボタンは、上位階層の操作画面に戻るための戻るボタンを含み、
前記ユーザにより前記戻るボタンが選択されて上位階層の操作画面に戻った場合、その操作画面において直前に前記ユーザにより選択された操作ボタンの選択回数を前記記録手段の記録対象から除外することを特徴とするナビゲーション装置。
【請求項８】
請求項１〜７のいずれか一項に記載のナビゲーション装置において、
前記算出手段は、前記記録手段により所定期間内に記録された選択回数に基づいて、前記使用頻度を算出することを特徴とするナビゲーション装置。
【請求項９】
請求項１〜８のいずれか一項に記載のナビゲーション装置において、
複数の前記ユーザを登録する登録手段をさらに備え、
前記算出手段は、前記登録手段により登録されたユーザごとに前記使用頻度を算出することを特徴とするナビゲーション装置。
【請求項１０】
請求項１〜９のいずれか一項に記載のナビゲーション装置において、
前記表示変化手段は、前記操作画面における操作ボタンの位置、大きさおよび色のいずれか少なくとも一つを前記使用頻度に応じて変化させることを特徴とするナビゲーション装置。
【請求項１１】
請求項１〜１０のいずれか一項に記載のナビゲーション装置において、
前記表示変化手段は、前記使用頻度に応じて、いずれかの階層の操作画面において表示される操作ボタンを他の階層の操作画面においても表示することを特徴とするナビゲーション装置。
【請求項１２】
請求項１１に記載のナビゲーション装置において、
前記表示変化手段は、前記操作画面において前記使用頻度が最も高い操作ボタンを前記操作画面よりも一階層下の操作画面においても表示することを特徴とするナビゲーション装置。
【請求項１３】
請求項１２に記載のナビゲーション装置において、
前記使用頻度が最も高い操作ボタンが前記ユーザにより選択されたときに、前記表示変化手段は、前記使用頻度が最も高い操作ボタンに替えて、前記操作画面において前記使用頻度が２番目に高い操作ボタンを前記操作画面よりも一階層下の操作画面において表示することを特徴とするナビゲーション装置。
【発明の詳細な説明】
【技術分野】
【０００１】
本発明は、車両用のナビゲーション装置に関する。
【背景技術】
【０００２】
従来、ユーザが頻繁に使用するメニュー画面の切り換えを伴う一連の操作をワンクリックで行うことが出来るように、操作の履歴情報に基づいて算出した頻度が所定値以上であれば、一連の操作をワンクリックで行うためのショートカットを登録する情報処理装置が知られている（特許文献１参照）。
【０００３】
【特許文献１】特開２００５−３０９６１８号公報
【発明の開示】
【発明が解決しようとする課題】
【０００４】
特許文献１に開示される情報処理装置では、操作の履歴情報に基づいて頻度が算出されるため、ユーザが途中まで操作を進めた後にキャンセルした場合であっても、その操作の頻度が増加してしまう。したがって、車両用のナビゲーション装置において、ユーザの操作結果を適切に反映した操作画面とすることができない。
【課題を解決するための手段】
【０００５】
本発明によるナビゲーション装置は、複数の階層により構成されて階層ごとに複数種類の操作ボタンが配置された操作画面を表示モニタに表示し、操作ボタンのいずれかがユーザにより選択されると、選択された操作ボタンに応じて操作画面の階層を順次遷移し、最下位階層の操作画面において選択された操作ボタンに応じた処理を実行するナビゲーション装置であって、操作画面においてユーザにより選択された操作ボタンが処理の実行に反映されたときの操作ボタンの選択回数を記録する記録手段と、記録手段により記録された選択回数に基づいて、操作ボタンごとに使用頻度を算出する算出手段と、算出手段により算出された使用頻度に基づいて、操作画面における操作ボタンの表示形態を変化させる表示変化手段とを備えるものである。
【発明の効果】
【０００６】
本発明によれば、ユーザの操作結果を適切に反映した操作画面とすることができる。
【発明を実施するための最良の形態】
【０００７】
図１は、本発明の一実施の形態によるナビゲーション装置の構成を示すブロック図である。図１のナビゲーション装置１は、制御部１０、振動ジャイロ１１、車速センサ１２、ＧＰＳ受信部１３、ハードディスク（ＨＤＤ）１４、表示モニタ１５、スピーカ１６、および入力装置１７を備える。
【０００８】
制御部１０は、マイクロプロセッサおよびその周辺回路、ＲＡＭ、ＲＯＭ等によって構成されており、ＲＯＭまたはＨＤＤ１３に記録されたプログラムやデータ類に基づいて、各種の処理や制御を実行する。振動ジャイロ１１は、車両の角速度を検出するためのセンサである。車速センサ１２は、車両の走行速度を検出するためのセンサである。振動ジャイロ１１により検出された車両の角速度と、車速センサ１２により検出された車両の走行速度は、制御部１０へ出力される。
【０００９】
ＧＰＳ受信部１３は、ＧＰＳ衛星から送信されるＧＰＳ信号を受信して制御部１０へ出力する。ＧＰＳ信号には、車両の位置と現在時刻を求めるための情報が含まれている。車両の現在位置は、振動ジャイロ１１から出力された車両の角速度、車速センサ１２から出力された車両の走行速度、およびＧＰＳ受信部１３から出力されたＧＰＳ信号に基づいて、制御部１０により所定時間毎に求められる。
【００１０】
ＨＤＤ１４は、記録されたデータを保持可能な不揮発性の記録媒体である。ＨＤＤ１４には、地図データを含む各種のデータが記録されている。ＨＤＤ１４に記録されているデータは、必要に応じて制御部１０の制御により読み出され、制御部１０が実行する様々な処理や制御に利用される。ＨＤＤ１４に記録された地図データは、経路計算データ、道路データおよび背景データを含む。経路計算データは、制御部１０において目的地までの推奨経路を探索する処理を行う際などに用いられるデータであり、道路毎の通過所要時間などを表す。道路データは、地図を表示する際の道路形状などを表す。背景データは、河川、鉄道、各種施設（ランドマーク）など、道路以外の地図要素の形状を表す。
【００１１】
表示モニタ１５は、制御部１０の制御により、各種の操作画面や地図画面などを表示する。表示モニタ１５は、たとえば自車両のダッシュボード上やインストルメントパネル内など、運転席から見やすい位置に設置されている。表示モニタ１５には、たとえば液晶ディスプレイなどが用いられる。スピーカ１６は、制御部１０の制御により、経路案内用の音声などを出力する。
【００１２】
入力装置１７は、ナビゲーション装置１を動作させるための様々な入力操作をユーザが行うための装置であり、各種の入力スイッチ類を有している。ユーザは、入力装置１７を操作することにより、表示モニタ１５に表示された操作画面においていずれかの操作ボタンを選択することができる。こうして操作ボタンがユーザにより選択されると、ナビゲーション装置１は、選択された操作ボタンに応じた各種の処理を実行する。たとえば、目的地を設定してその目的地までの経路を探索したり、自車両の周辺に存在する施設を検索したりすることができる。なお、入力装置１７は、操作パネルやリモコンなどによって実現される。あるいは、入力装置１７を表示モニタ１５と一体化されたタッチパネルとしてもよい。
【００１３】
次に、ナビゲーション装置１の操作方法について説明する。ナビゲーション装置１において表示モニタ１５に表示される操作画面は、複数の階層により構成されており、階層ごとに複数種類の操作ボタンが配置されている。ユーザが入力装置１７を操作していずれかの操作ボタンを選択すると、ナビゲーション装置１は、その操作ボタンに対応して、上位の階層から下位の階層へと操作画面を順次遷移していく。そして、最下位階層の操作画面において選択された操作ボタンに応じた処理を実行する。このようにして、ナビゲーション装置１が操作される。
【００１４】
上記のような操作の際、ナビゲーション装置１は、各操作画面における操作ボタンの使用頻度に基づいて、操作ボタンの表示形態を変化させるようにする。たとえば、使用頻度が高い操作ボタンを他の操作ボタンよりも大きく表示したり、ユーザが選択しやすい位置に移動したりする。また、ある階層の操作画面において使用頻度が高い操作ボタンを他の階層でも表示するようにして、少ない手順でその操作ボタンを選択できるようにする。これにより、使用頻度の高い操作ボタンをユーザが容易に選択できるようにして、操作性を向上させる。
【００１５】
各操作画面における操作ボタンの使用頻度は、過去のユーザの選択回数に基づいて算出される。すなわち、ナビゲーション装置１は、過去にユーザが各操作ボタンを選択した回数を操作履歴情報としてＨＤＤ１４に記録しておく。そして、操作画面を表示モニタ１５に表示する際に、ＨＤＤ１４から操作履歴情報を読み出して操作ボタンごとに使用頻度を算出し、その算出結果に応じた操作画面を表示する。このときの操作画面の表示内容は、ユーザごとに変えることができる。すなわち、ナビゲーション装置１では、複数のユーザを登録可能であり、登録されたユーザごとに操作履歴情報がＨＤＤ１４に記録される。いずれかのユーザがナビゲーション装置１を使用する際には、そのユーザの操作履歴情報に基づいて使用頻度が算出され、操作画面が表示される。
【００１６】
なお、各操作ボタンの選択回数を操作履歴情報として記録する際には、選択された操作ボタンがナビゲーション装置１の処理を実行するために真に使用されたときの選択回数を記録する。すなわち、ナビゲーション装置１が最終的に処理の実行に反映した操作ボタンの選択回数をカウントし、操作履歴情報において記録する。一方、選択された操作ボタンが処理の実行に反映されていない場合、たとえば処理が実行される前にユーザが途中で操作をキャンセルした場合などは、その操作ボタンの選択回数を記録しないようにする。これにより、算出される使用頻度の信頼性を向上させ、ユーザの操作結果を適切に反映した操作画面が得られるようにする。
【００１７】
ナビゲーション装置１において表示モニタ１５に表示される操作画面の例を図２〜８にそれぞれ示す。図２に示す操作画面は、最上位階層の操作画面として最初に表示されるメインメニュー画面の例である。図２（ａ）の画面２０ａは、操作ボタンの表示形態を変化させていない初期状態でのメインメニュー画面の例であり、図２（ｂ）の画面２０ｂは、使用頻度に基づいて操作ボタンの表示形態を変化させたときのメインメニュー画面の例である。
【００１８】
メインメニュー画面２０ａおよび２０ｂには、目的地ボタン２１、周辺検索ボタン２２、ルートボタン２３、情報ボタン２４および設定ボタン２５が配置されている。目的地ボタン２１は、目的地の設定方法を選択するための操作画面である目的地メニュー画面に遷移するための操作ボタンである。周辺検索ボタン２２は、検索対象とする周辺施設の種類を選択するための操作画面である周辺検索メニュー画面に遷移するための操作ボタンである。ルートボタン２３は、目的地までの間に設定された経路を変更したりするための操作ボタンである。情報ボタン２４は、様々な情報を確認するための操作ボタンである。設定ボタン２５は、ナビゲーション装置１における各種設定の状態を確認したり変更したりするための操作ボタンである。これらの操作ボタンのうちいずれかがユーザにより選択されると、選択された操作ボタンに応じた下位階層の操作画面へと遷移する。
【００１９】
変化前のメインメニュー画面２０ａと変化後のメインメニュー画面２０ｂとを比較すると、変化後の画面２０ｂでは、目的地ボタン２１と周辺検索ボタン２２が大きく表示されると共に、画面中央付近に表示位置が変化している。また、目的地ボタン２１については大きさに加えて色も変化している。一方、ルートボタン２３、情報ボタン２４および設定ボタン２５は、変化後の画面２０ｂでは小さく表示されると共に、その表示位置が画面下方に変化している。たとえばこのようにして、上記の各操作ボタン２１〜２５の表示形態を変化させることができる。なお、各操作ボタン２１〜２５のうち、目的地ボタン２１の使用頻度が最も高く、次に周辺検索ボタン２２の使用頻度が高く、これらに比べてルートボタン２３、情報ボタン２４および設定ボタン２５の使用頻度が低いものとする。
【００２０】
以上説明したように、メインメニュー画面２０ａにおいて使用頻度の高い２つの操作ボタン、すなわち目的地ボタン２１と周辺検索ボタン２２とを、メインメニュー画面２０ｂに示すように、画面中央付近に拡大して表示すると共に、最も使用頻度が高い目的地ボタン２１の色を変化させる。これにより、使用頻度の高い操作ボタンをユーザが選択しやすいようにすることができる。なお、図２で説明した例以外にも、操作ボタンの表示形態を様々に変化させることができる。たとえば、使用頻度が所定のしきい値以上である操作ボタンを大きく表示したり、反対に使用頻度がしきい値未満である操作ボタンを小さく表示したりしてもよい。
【００２１】
さらに、変化後のメインメニュー画面２０ｂには、電話番号ボタン３２およびコンビニエンスストアボタン４２も表示されている。電話番号ボタン３２は、本来は図３に示す目的地メニュー画面３０において表示される操作ボタンであり、コンビニエンスストアボタン４２は、本来は図４に示す周辺検索メニュー画面４０において表示される操作ボタンである。ここで、目的地メニュー画面３０の各操作ボタンのうちで電話番号ボタン３２の使用頻度が最も高く、また、周辺検索メニュー画面４０の各操作ボタンのうちでコンビニエンスストアボタン４２の使用頻度が最も高いものとする。このように、階層の異なる操作画面の操作ボタンをその使用頻度に応じてメインメニュー画面２０ｂにも表示することで、使用頻度の高い操作ボタンをユーザが選択する際に、操作画面の遷移回数を少なくすることができる。なお、ここでは、目的地メニュー画面３０と周辺検索メニュー画面４０においてそれぞれ最も使用頻度が高い操作ボタンを１つずつ、合計２つの操作ボタンをメインメニュー画面２０ｂにも表示することとしたが、３つ以上の操作ボタンを表示してもよいし、他の操作画面の操作ボタンを表示してもよい。
【００２２】
図２（ａ）のメインメニュー画面２０ａまたは図２（ｂ）のメインメニュー画面２０ｂにおいて、たとえば目的地ボタン２１がユーザにより選択されると、図３に示すような目的地メニュー画面が表示される。図３の目的地メニュー画面３０には、住所ボタン３１、電話番号ボタン３２、名称ボタン３３、ジャンルボタン３４および戻るボタン３５が配置されている。住所ボタン３１は、住所の入力による目的地の設定方法を選択するための操作ボタンであり、これが選択されると、目的地の住所を入力するための操作画面である住所入力画面に遷移する。電話番号ボタン３２は、電話番号の入力による目的地の設定方法を選択するための操作ボタンであり、これが選択されると、目的地の電話番号を入力するための操作画面である電話番号入力画面に遷移する。名称ボタン３３は、名称の入力による目的地の設定方法を選択するための操作ボタンであり、これが選択されると、目的地とする施設等の名称を入力するための操作画面である名称入力画面に遷移する。ジャンルボタン３４は、ジャンルの入力による目的地の設定方法を選択するための操作ボタンであり、これが選択されると、目的地とする施設等のジャンルを選択するための操作画面であるジャンル入力画面に遷移する。戻るボタン３５は、一つ上位階層の操作画面、すなわちメインメニュー画面２０ａまたは２０ｂに戻るための操作ボタンである。
【００２３】
また、図２（ａ）のメインメニュー画面２０ａまたは図２（ｂ）のメインメニュー画面２０ｂにおいて、たとえば周辺検索ボタン２２がユーザにより選択されると、図４に示すような周辺検索メニュー画面が表示される。図４の周辺検索メニュー画面４０には、ガソリンスタンドボタン４１、コンビニエンスストアボタン４２、飲食店ボタン４３、その他ボタン４４および戻るボタン４５が配置されている。ガソリンスタンドボタン４１、コンビニエンスストアボタン４２、飲食店ボタン４３およびその他ボタン４４は、いずれも検索対象とする周辺施設の種類を選択するための操作ボタンであり、それぞれが異なる施設の種類に対応している。すなわち、ガソリンスタンドボタン４１が選択された場合は自車両の周辺に存在するガソリンスタンドを検索対象とし、コンビニエンスストアボタン４２が選択された場合は自車両の周辺に存在するコンビニエンスストアを検索対象とし、飲食店ボタン４３が選択された場合は自車両の周辺に存在する飲食店を検索対象とする。なお、その他ボタン４４が選択された場合は、さらに施設の種類を指定するための操作画面が表示される。戻るボタン４５は、図３の戻るボタン３５と同様に、一つ上位階層の操作画面、すなわちメインメニュー画面２０ａまたは２０ｂに戻るための操作ボタンである。
【００２４】
図３の目的地メニュー画面３０において、たとえば電話番号ボタン３２がユーザにより選択されると、図５に示すような電話番号入力画面が表示される。図５の電話番号入力画面５０には、電話番号入力欄５１、確定ボタン５２および戻るボタン５３が配置されている。電話番号入力欄５１は、入力番号表示部とテンキーにより構成されており、ユーザがテンキーを選択して入力した電話番号が入力番号表示部に表示される。確定ボタン５２は、入力した電話番号を確定するための操作ボタンであり、これが選択されると、電話番号入力欄５１において入力された電話番号が確定されると共に、当該電話番号に該当する施設が地図データに基づいて検索される。そして、検索された施設が目的地に設定され、その目的地までの経路が探索される。こうして目的地が設定されて経路探索が行われると、ナビゲーション装置１は、上位階層の操作画面においてそれまでに選択された各操作ボタン、すなわち目的地ボタン２１と電話番号ボタン３２とが真に使用されたと判断し、それぞれの選択回数を１つずつカウントアップして操作履歴情報に記録する。戻るボタン５３は、前述と同様に一つ上位階層の操作画面、すなわち目的地メニュー画面３０に戻るための操作ボタンである。
【００２５】
なお、図５の電話番号入力画面５０には、図３の目的地メニュー画面３０と同様の住所ボタン３１も表示されている。ここで、前述のように目的地メニュー画面３０の各操作ボタンのうちで電話番号ボタン３２の使用頻度が最も高く、また、その次に住所ボタン３１の使用頻度が高いものとする。このように、階層の異なる操作画面の操作ボタンをその使用頻度に応じて電話番号入力画面５０にも表示することで、目的地メニュー画面３０に戻ることなく、電話番号入力画面５０から住所入力画面に切り替えることができる。なお、電話番号入力画面５０では住所ボタン３１を表示することとしたが、目的地メニュー画面３０から遷移する他の操作画面では、最も使用頻度が高い電話番号ボタン３２を表示することが好ましい。あるいは、使用頻度が高い操作ボタンを２つ以上表示してもよい。
【００２６】
一方、図４の周辺検索メニュー画面４０において、たとえばガソリンスタンドボタン４１がユーザにより選択されると、自車両の周辺に存在するガソリンスタンドが検索され、図６に示すような周辺検索結果画面が表示される。図６の周辺検索結果画面６０には、検索結果リスト６１および戻るボタン６２が配置されている。検索結果リスト６１には、検索されたガソリンスタンドのリストが表示されている。このリストのいずれかが選択されると、当該ガソリンスタンド付近の地図画面が表示される。こうして周辺施設の種類が選択されて検索されると、ナビゲーション装置１は、上位階層の操作画面においてそれまでに選択された各操作ボタン、すなわち周辺検索ボタン２２とガソリンスタンドボタン４１とが真に使用されたと判断し、それぞれの選択回数を１つずつカウントアップして操作履歴情報に記録する。戻るボタン６２は、前述と同様に一つ上位階層の操作画面、すなわち周辺検索メニュー画面４０に戻るための操作ボタンである。
【００２７】
なお、図６の周辺検索結果画面６０には、図４の周辺検索メニュー画面４０と同様のコンビニエンスストアボタン４２も表示されている。ここで、前述したように周辺検索メニュー画面４０の各操作ボタンのうちでコンビニエンスストアボタン４２の使用頻度が最も高いものとする。このように、階層の異なる操作画面の操作ボタンをその使用頻度に応じて周辺検索結果画面６０にも表示することで、周辺検索メニュー画面４０に戻ることなく、検索対象をガソリンスタンドからコンビニエンスストアに切り替えて周辺施設を検索することができる。なお、コンビニエンスストアを検索したときの周辺検索結果画面６０では、コンビニエンスストアボタン４２の次に使用頻度が高い操作ボタンを表示することが好ましい。あるいは、使用頻度が高い操作ボタンを２つ以上表示してもよい。
【００２８】
図２（ａ）のメインメニュー画面２０ａまたは図２（ｂ）のメインメニュー画面２０ｂにおいて、たとえば設定ボタン２５がユーザにより選択されると、図７に示すような設定メニュー画面が表示される。図７の設定メニュー画面７０には、地図表示設定ボタン７１、ランドマーク表示設定ボタン７２、軌跡表示設定ボタン７３、ガイド設定ボタン７４および戻るボタン７５が配置されている。地図表示設定ボタン７１は、地図の表示方法を設定するための操作ボタンである。ランドマーク表示設定ボタン７２は、地図上にアイコンを表示するランドマーク（施設）の種類を設定するための操作ボタンである。軌跡表示設定ボタン７３は、地図上に車両の走行軌跡を表示する方法を設定するための操作ボタンである。ガイド設定ボタン７４は、車両の誘導方法を設定するための操作ボタンである。戻るボタン７５は、前述と同様に一つ上位階層の操作画面、すなわちメインメニュー画面２０ａまたは２０ｂに戻るための操作ボタンである。
【００２９】
図７の設定メニュー画面７０において、たとえばランドマーク表示設定ボタン７２がユーザにより選択されると、図８に示すようなランドマーク表示設定画面が表示される。図８のランドマーク表示設定画面８０には、ランドマーク選択欄８１、地図表示ボタン８２および戻るボタン８３が配置されている。ランドマーク選択欄８１は、地図上にアイコンを表示するランドマークの種類を選択するための部分である。このランドマーク選択欄８１においてユーザがいずれかのランドマークの種類を選択すると、そのランドマークの種類にチェックマークが付されると共に、地図画面においてアイコンが表示されるようになる。図８の例では、ガソリンスタンドとコンビニエンスストアにチェックマークが付されており、地図画面ではこれらのアイコンが表示される。地図表示ボタン８２は、ランドマーク表示設定画面の表示を終了して地図画面に戻るための操作ボタンである。ランドマーク選択欄８１において地図上にアイコンを表示するランドマークの種類が選択された後、地図表示ボタン８２が選択されると、他の操作画面に遷移することなく直ちに地図画面が表示モニタ１５に表示される。こうしてユーザにより地図表示ボタン８２が選択されて地図画面に戻ると、ナビゲーション装置１は、上位階層の操作画面においてそれまでに選択された各操作ボタン、すなわち設定ボタン２５とランドマーク表示設定ボタン７２とが真に使用されたと判断し、それぞれの選択回数を一つずつカウントアップして操作履歴情報に記録する。戻るボタン８３は、前述と同様に一つ上位階層の操作画面、すなわち設定メニュー画面７０に戻るための操作ボタンである。
【００３０】
以上説明した図２〜８の各操作画面間の画面遷移図を図９に示す。この画面遷移図において、符号９１に示す枠はメインメニュー画面２０ａおよび２０ｂを表し、符号９２、９３に示す枠は目的地メニュー画面３０と周辺検索メニュー画面４０をそれぞれ表している。また、符号９４に示す枠はルートボタン２３が選択されたときの画面を表し、符号９５に示す枠は情報ボタン２４が選択されたときの画面を表している。符号９６に示す枠は、設定メニュー画面７０を表している。
【００３１】
さらに、符号９７〜１００に示す枠は、目的地メニュー画面３０において、住所ボタン３１、電話番号ボタン３２、名称ボタン３３またはジャンルボタン３４が選択されたときに表示される入力画面をそれぞれ表している。符号１０１〜１０４に示す枠は、周辺検索メニュー画面４０において、ガソリンスタンドボタン４１、コンビニエンスストアボタン４２、飲食店ボタン４３またはその他ボタン４４が選択されたときに表示される周辺検索結果画面をそれぞれ表している。
【００３２】
図９の画面遷移図において、枠９８から枠９７に向かう矢印は、電話番号入力画面５０において住所ボタン３１が選択されると、一階層上の目的地メニュー画面３０に戻ることなく、電話番号入力画面５０から直接住所入力画面に遷移することを示している。また、枠１０１から枠１０２に向かう矢印は、ガソリンスタンドの周辺検索結果画面６０においてコンビニエンスストアボタン４２が選択されると、一階層上の周辺検索メニュー画面４０に戻ることなく、その画面から直接コンビニエンスストアの周辺検索結果を表す画面に遷移することを示している。さらに、枠９１から枠９８と枠１０２にそれぞれ向かう矢印は、メインメニュー画面２０ｂにおいて電話番号ボタン３２またはコンビニエンスストアボタン４２が選択されると、一階層下の目的地メニュー画面３０または周辺検索メニュー画面４０をスキップして、電話番号入力画面５０またはコンビニエンスストアの周辺検索結果の画面に遷移することをそれぞれ示している。ナビゲーション装置１は、このようにして操作手順を簡略化している。
【００３３】
なお、以上説明した図２〜８の各操作画面は、いずれも一例である。したがって、これ以外の操作画面としてもよい。たとえば、図３の目的地メニュー画面３０や、図４の周辺検索メニュー画面４０、図７の設定メニュー画面７０においても、図２（ｂ）のメインメニュー画面２０ｂと同様に、使用頻度に応じて各操作ボタンの表示形態を変化させてもよい。また、各操作画面における操作ボタンの種類は図２〜８に示したものに限らない。ナビゲーション装置１が実行する処理の内容に応じて、様々な種類の操作ボタンを各操作画面において表示することができる。
【００３４】
ナビゲーション装置１において以上説明したような操作方法を実現するために、制御部１０によって実行される処理のフローチャートを図１０に示す。このフローチャートについて以下に説明する。
【００３５】
ステップＳ１０では、ユーザ認証を行うためのユーザ認証情報を取得する。ここでは、たとえばＩＤ番号とパスワードをユーザに入力させることにより、ユーザ認証情報を取得する。ステップＳ２０では、ステップＳ１０で取得したユーザ認証情報に基づいて、現在のユーザが登録済みのユーザであるか否かを判定する。登録済みユーザである場合はステップＳ３０へ進み、未登録のユーザである場合はステップＳ５０へ進む。なお、ステップＳ１０で一度取得したユーザ認証情報は、ナビゲーション装置１において一時的に記憶しておくことが好ましい。これにより、次回ステップＳ２０を実行するときに、ステップＳ１０を省略してユーザにＩＤ番号やパスワードを入力させないようにすることができる。ナビゲーション装置１の電源が切断されて所定時間が経過すると、一時的に記憶されたユーザ認証情報が消去される。
【００３６】
ステップＳ３０では、ステップＳ１０で取得したユーザ認証情報に対応するユーザの操作履歴情報をＨＤＤ１４から読み出す。この操作履歴情報には、過去に当該ユーザによって選択された操作ボタンごとの選択回数が記録されている。なお、操作ボタンごとの選択回数は、後で説明するステップＳ８０の操作処理において求められる。
【００３７】
ステップＳ４０では、ステップＳ３０で読み出した操作履歴情報に基づいて、操作ボタンごとに使用頻度を算出する。このとき、古すぎて使用頻度を算出するのに適当ではない選択結果を除外するため、操作履歴情報のうち過去の所定期間内において記録された選択回数のみに基づいて使用頻度を算出してもよい。なお、その場合は選択回数の記録日時を判別するための情報を操作履歴情報に含ませることが好ましい。ステップＳ４０を実行したら、ステップＳ６０へ進む。
【００３８】
ステップＳ５０では、新規ユーザの登録を行う。ここでは、たとえばユーザのＩＤ番号とパスワードを新たに登録することにより、新規ユーザを登録する。こうして未登録のユーザを新規ユーザとして登録することにより、ナビゲーション装置１に複数のユーザが登録される。ステップＳ５０を実行したら、ステップＳ６０へ進む。
【００３９】
ステップＳ６０では、操作画面の設定を行う。ここでは、登録済みユーザについては、ステップＳ４０で算出した使用頻度に基づいて、操作画面の各階層における操作ボタンの表示形態をそれぞれ変化させる。すなわち、前述のように使用頻度に応じて各操作ボタンの位置、大きさ、色などを変えたり、使用頻度が高い操作ボタンを異なる階層の操作画面においても表示したりして、ユーザの操作性を向上させるようにする。一方、ステップＳ５０で新規に登録したユーザについては、まだ操作履歴情報が記録されていないため、操作画面を初期設定状態とする。
【００４０】
ステップＳ７０では、ナビゲーション装置１の操作を実現するための操作処理を実行する。この操作処理の具体的な内容については、後述する。ステップＳ７０の操作処理を実行したら、図１０のフローチャートを終了する。
【００４１】
次に、ステップＳ７０で実行する操作処理の内容について説明する。図１１は、制御部１０によって実行される操作処理のフローチャートである。ステップＳ７１では、最上位階層の操作画面であるメインメニュー画面を表示モニタ１５に表示する。ここでは、図１０のステップＳ６０で設定された表示形態によりメインメニュー画面を表示する。これにより、たとえば図２（ａ）のメインメニュー画面２０ａ、または図２（ｂ）のメインメニュー画面２０ｂが表示される。
【００４２】
ステップＳ７２では、ステップＳ７１で表示したメインメニュー画面において、いずれかの操作ボタンがユーザにより選択されたか否かを判定する。いずれかの操作ボタンが選択されると、ステップＳ７３へ進む。
【００４３】
ステップＳ７３では、ステップＳ７２においてユーザに選択された操作ボタンのカウント値を１つアップする。このカウント値は、操作ボタンごとに設定されており、図１０のステップＳ３０でＨＤＤ１４から読み出した操作履歴情報に基づいて初期値が設定される。なお、ステップＳ５０で新規ユーザ登録を行った場合は、初期値に０が設定される。ステップＳ７４では、ステップＳ７２においてユーザに選択された操作ボタンに対応する操作画面を表示モニタ１５に表示する。これにより、たとえばメインメニュー画面２０ａまたは２０ｂにおいて、目的地ボタン２１が選択された場合は図３のような目的地メニュー画面３０が、周辺検索ボタン２２が選択された場合は図４のような周辺検索メニュー画面４０が、設定ボタン２５が選択された場合は図７のような設定メニュー画面７０が、それぞれ表示される。
【００４４】
ステップＳ７５では、ステップＳ７４で表示した操作画面において、いずれかの操作ボタンがユーザにより選択されたか否かを判定する。いずれかの操作ボタンが選択されると、ステップＳ７６へ進む。
【００４５】
ステップＳ７６では、ステップＳ７５においてユーザに選択された操作ボタンが戻るボタンであるか否かを判定する。戻るボタンであった場合はステップＳ７７へ進み、戻るボタン以外の操作ボタンであった場合はステップＳ７９へ進む。
【００４６】
ステップＳ７７では、現在の操作画面よりも一階層上の操作画面を表示モニタ１５に表示して、当該操作画面に戻る。次のステップＳ７８では、ステップＳ７６で戻るボタンが選択される直前に当該操作画面において選択された操作ボタンのカウント値を１つダウンする。たとえば、目的地メニュー画面３０が表示されているときに戻るボタン３５が選択されてメインメニュー画面２０ａまたは２０ｂに戻った場合は、その直前にメインメニュー画面２０ａまたは２０ｂにおいて選択された操作ボタン、すなわち目的地ボタン２１のカウント値を１つダウンする。また、周辺検索メニュー画面４０が表示されているときに戻るボタン４５が選択されてメインメニュー画面２０ａまたは２０ｂに戻った場合は、その直前にメインメニュー画面２０ａまたは２０ｂにおいて選択された操作ボタン、すなわち周辺検索ボタン２２のカウント値を１つダウンする。設定メニュー画面７０が表示されているときに戻るボタン７５が選択されてメインメニュー画面２０ａまたは２０ｂに戻った場合は、その直前にメインメニュー画面２０ａまたは２０ｂにおいて選択された操作ボタン、すなわち設定ボタン２５のカウント値を１つダウンする。これにより、当該操作ボタンのカウント値に対するステップＳ７３のカウントアップ分がキャンセルされる。その結果、当該操作ボタンの選択回数は、後述するステップＳ８２において操作履歴情報を更新する際の記録対象から除外される。ステップＳ７８を実行したらステップＳ７５へ戻り、前述のような処理を繰り返す。このようにして、ユーザにより戻るボタンが選択されて上位階層の操作画面に戻った場合は、その操作画面において直前にユーザにより選択された操作ボタンの選択回数をＨＤＤ１４に記録する操作履歴情報の対象から除外する。
【００４７】
ステップＳ７９では、現在表示されている操作画面が最下位階層の操作画面であるか否かを判定する。最下位階層の操作画面である場合、すなわちステップＳ７５で選択された操作ボタンに対応する下位階層の操作画面が存在しない場合は、ステップＳ８０へ進む。一方、最下位階層の操作画面でない場合はステップＳ７３へ戻り、ユーザに選択された操作ボタンのカウント値をステップＳ７３において１つアップすると共に、その操作ボタンに対応する下位階層の操作画面をステップＳ７４において表示モニタ１５に表示する。これにより、たとえば目的地メニュー画面３０において電話番号ボタン３２が選択された場合は図５のような電話番号入力画面５０が表示され、周辺検索メニュー画面４０においてガソリンスタンドボタン４１が選択された場合は図６のような周辺検索結果画面６０が表示され、設定メニュー画面７０においてランドマーク表示設定ボタン７２が選択された場合は図８のようなランドマーク表示設定画面８０が表示される。
【００４８】
ステップＳ８０では、ステップＳ７５で選択された操作ボタンに応じた処理を実行する。たとえば、電話番号入力画面５０では、選択されたテンキーに応じた電話番号を入力し、確定ボタン５２が選択されたら、入力された電話番号に該当する施設を検索して目的地に設定する。また、周辺検索結果画面６０では、検索結果リスト６１で選択された施設付近の地図画面を表示する。ランドマーク表示設定画面８０では、ランドマーク選択欄８１で選択されたランドマークのアイコンを地図画面において表示する。これ以外にも、選択された操作ボタンに応じて様々な処理がナビゲーション装置１において実行される。
【００４９】
ステップＳ８１では、地図画面に戻るか否かを判定する。ここでは、操作画面ごとに予め定められた所定の地図画面表示条件を満たしているか否かを判定することにより、地図画面に戻るか否かを判定する。たとえば、電話番号入力画面５０では、確定ボタン５２が選択された後、入力された電話番号に対して検索された施設が目的地に設定されて経路探索が行われたときに、地図画面表示条件を満たしたと判定する。また、周辺検索結果画面６０では、検索結果リスト６１でいずれかの施設が選択されたときに、地図画面表示条件を満たしたと判定する。ランドマーク表示設定画面８０では、地図表示ボタン８２が選択されたときに、地図画面表示条件を満たしたと判定する。このような地図画面表示条件を満たしていなければステップＳ７５へ戻り、満たしたらステップＳ８２へ進む。
【００５０】
ステップＳ８２では、ステップＳ７３でカウントアップまたはステップＳ７８でカウントダウンされた各操作ボタンのカウント値に基づいて、ＨＤＤ１４に記録された操作履歴情報を更新する。これにより、各操作画面で選択された操作ボタンの選択回数が操作履歴情報に反映される。たとえば、電話番号入力画面５０から地図画面に戻る場合は、メインメニュー画面２０ａまたは２０ｂの目的地ボタン２１と、目的地メニュー画面３０の電話番号ボタン３２について、操作履歴情報に記録された選択回数がそれぞれ１つずつカウントアップされる。また、ガソリンスタンドが検索された周辺検索結果画面６０から地図画面に戻る場合は、メインメニュー画面２０ａまたは２０ｂの周辺検索ボタン２２と、周辺検索メニュー画面４０のガソリンスタンドボタン４１について、操作履歴情報に記録された選択回数がそれぞれ１つずつカウントアップされる。ランドマーク表示設定画面８０から地図画面に戻る場合は、メインメニュー画面２０ａまたは２０ｂの設定ボタン２５と、設定メニュー画面７０のランドマーク表示設定ボタン７２について、操作履歴情報に記録された選択回数がそれぞれ１つずつカウントアップされる。これにより、最下位階層の操作画面を除いた各操作画面においてユーザにより選択された操作ボタンが処理の実行に反映されたとき操作ボタンの選択回数がＨＤＤ１４に記録される。なお、最下位階層の操作画面については、選択されると必ず処理の実行に反映されるとして、その選択回数を操作履歴情報において記録してもよいし、記録しなくてもよい。ステップＳ８２を実行したら図１１のフローチャートを終了する。
【００５１】
以上説明した実施の形態によれば、次の作用効果を奏する。
（１）ナビゲーション装置１は、複数の階層により構成されて階層ごとに複数種類の操作ボタンが配置された操作画面を表示モニタ１５に表示し、操作ボタンのいずれかがユーザにより選択されると、選択された操作ボタンに応じて操作画面の階層を順次遷移し、最下位階層の操作画面において選択された操作ボタンに応じた処理を実行する。このようなナビゲーション装置１において、各操作画面においてユーザにより選択された操作ボタンが処理の実行に反映されたときの操作ボタンの選択回数を操作履歴情報としてＨＤＤ１４に記録しておく（ステップＳ８２）。その後、操作開始時には、制御部１０の処理により、ＨＤＤ１４に記録された操作履歴情報が表す各操作ボタンの選択回数に基づいて、操作ボタンごとに使用頻度を算出し（ステップＳ４０）、算出した使用頻度に基づいて、操作画面における操作ボタンの表示形態を変化させる（ステップＳ６０）。このようにしたので、ユーザの操作結果を適切に反映した操作画面とすることができる。
【００５２】
（２）メインメニュー画面２０ａまたは２０ｂにおいて、ユーザにより目的地ボタン２１が選択された場合、目的地メニュー画面３０において選択された設定方法で目的地が選択され、その目的地までの経路が探索されたときに、目的地ボタン２１が処理の実行に反映されたと判断する。すなわち、目的地メニュー画面３０において、ユーザにより住所ボタン３１、電話番号ボタン３２、名称ボタン３３またはジャンルボタン３４のいずれかが選択された後、当該選択された操作ボタンに対応する設定方法で目的地が設定され、その目的地までの経路が探索されたときに、当該選択された操作ボタンと目的地ボタン２１とが処理の実行に反映されたと判断する。このようにしたので、ユーザにより目的地ボタン２１が選択された場合に、その目的地ボタン２１が処理の実行に反映されたか否かを正しく判断することができる。
【００５３】
（３）また、メインメニュー画面２０ａまたは２０ｂにおいて、ユーザにより周辺検索ボタン２２が選択された場合、周辺検索メニュー画面４０において選択された種類の周辺施設が検索され、検索された周辺施設のいずれかが選択されたときに、周辺検索ボタン２２が処理の実行に反映されたと判断する。すなわち、周辺検索メニュー画面４０において、ユーザによりガソリンスタンドボタン４１、コンビニエンスストアボタン４２、飲食店ボタン４３またはその他ボタン４４のいずれかが選択された後、当該選択された操作ボタンに対応する種類の周辺施設が検索されたときに、当該選択された操作ボタンと周辺検索ボタン２２とが処理の実行に反映されたと判断する。このようにしたので、ユーザにより周辺検索ボタン２２が選択された場合に、その周辺検索ボタン２２が処理の実行に反映されたか否かを正しく判断することができる。
【００５４】
（４）最下位階層の操作画面であるランドマーク表示設定画面８０において、ユーザにより地図表示ボタン８２が選択されて地図画面に戻った場合、地図表示ボタン８２が表示されているランドマーク表示設定画面８０よりも上位階層の操作画面においてそれまでにユーザにより選択された操作ボタンが処理の実行に反映されたと判断する。すなわち、メインメニュー画面２０ａまたは２０ｂの設定ボタン２５と、設定メニュー画面７０のランドマーク表示設定ボタン７２とが、処理の実行に反映されたと判断する。このようにしたので、処理の終了後に地図表示ボタン８２が選択されることで地図画面に戻った場合に、どの操作ボタンが処理の実行に反映されたかを正しく判断することができる。
【００５５】
（５）ユーザにより戻るボタン３５、４５、５３、６２、７５または８３が選択されて上位階層の操作画面に戻った場合、その操作画面において直前にユーザにより選択された操作ボタンの選択回数をＨＤＤ１４に操作履歴情報として記録する対象から除外する（ステップＳ７８）。たとえば、目的地メニュー画面３０が表示されているときに戻るボタン３５が選択されてメインメニュー画面２０ａまたは２０ｂに戻った場合は、その直前にメインメニュー画面２０ａまたは２０ｂにおいて選択された目的地ボタン２１を記録対象から除外する。このようにしたので、処理が実行される前にユーザが途中で操作をキャンセルしたために選択された操作ボタンが処理の実行に反映されていない場合、その操作ボタンの選択回数が操作履歴情報としてＨＤＤ１４に記録されるのを防ぐことができる。その結果、操作履歴情報に基づいて算出する使用頻度の信頼性を向上させることができる。
【００５６】
（６）ステップＳ４０では、ＨＤＤ１４に記録された操作履歴情報のうち、所定期間内に記録された選択回数に基づいて、操作ボタンごとの使用頻度を算出してもよい。このように、使用頻度を算出するのに適当ではない選択結果を除外して使用頻度を算出することにより、操作画面における操作ボタンの表示形態の変化に用いるものとして相応しい使用頻度を算出することができる。
【００５７】
（７）ナビゲーション装置１は、制御部１０の処理により、未登録のユーザを新規ユーザとして登録することで複数のユーザを登録する（ステップＳ５０）。ステップＳ４０では、こうして登録されたユーザごとに操作ボタンごとの使用頻度を算出する。このようにしたので、ユーザごとに最適な操作画面を表示することができる。
【００５８】
（８）ステップＳ６０では、目的地ボタン２１、周辺検索ボタン２２、ルートボタン２３、情報ボタン２４および設定ボタン２５の位置、大きさおよび色のいずれか少なくとも一つを、各操作ボタンの使用頻度に応じてメインメニュー画面２０ａから２０ｂのように変化させることができる。また、各操作ボタンの使用頻度に応じて、目的地メニュー画面３０の住所ボタン３１および電話番号ボタン３２と、周辺検索メニュー画面４０のコンビニエンスストアボタン４２とを、他の階層の操作画面である電話番号入力画面５０、メインメニュー画面２０ｂ、周辺検索結果画面６０においてもそれぞれ表示することができる。このようにして各操作ボタンの表示形態を変化させることで、使用頻度の高い操作ボタンをユーザが容易に選択できるようにして、操作性を向上させることができる。
【００５９】
（９）周辺検索メニュー画面４０において使用頻度が最も高いコンビニエンスストアボタン４２を、周辺検索メニュー画面４０よりも一階層下の周辺検索結果画面６０においても表示する。このようにしたので、上位階層の操作画面に戻ることなく、下位階層の操作画面から使用頻度が最も高い操作ボタンに対応する操作画面に直接遷移することができる。その結果、操作手順を簡略化することができる。
【００６０】
（１０）また、目的地メニュー画面３０において使用頻度が最も高い電話番号ボタン３２がユーザにより選択されたときには、電話番号ボタン３２に替えて、目的地メニュー画面３０において使用頻度が２番目に高い住所ボタン３１を、目的地メニュー画面３０よりも一階層下の電話番号入力画面５０において表示する。このようにしたので、使用頻度が最も高い操作ボタンが選択されたときの遷移後の操作画面において当該操作ボタンが再び表示されてしまうのを防いで、適切な操作ボタンを表示することができる。
【００６１】
なお、以上説明した実施の形態では、ＨＤＤ１４に操作履歴情報を記録することとしたが、不揮発性の記録媒体であれば、どのようなものに操作履歴情報を記録してもよい。たとえば、フラッシュメモリを使用したＳＳＤ（Solid State Drive）などをＨＤＤの代わりに使用することができる。
【００６２】
以上説明した実施の形態や各種の変形例は、あくまで一例である。したがって、発明の特徴が損なわれない限り、本発明はこれらの内容に限定されるものではない。また、本発明は上記実施の形態に限定されず、実施形態と変形例の一つ、もしくは複数を組み合わせることも可能である。
【００６３】
以上説明した実施の形態では、特許請求の範囲に記載された各手段のうち、記録手段をＨＤＤ１４により実現し、それ以外をナビゲーション装置１の制御部１０において実行される処理により実現することとした。すなわち、ナビゲーション装置１の制御部１０は、算出手段、表示変化手段および登録手段として機能する。なお、以上の説明はあくまで一例であり、発明を解釈する際、実施の形態の記載事項と特許請求の範囲の記載事項の対応関係には何ら限定も拘束もされない。
【図面の簡単な説明】
【００６４】
【図１】一実施形態によるナビゲーション装置の構成を示すブロック図である。
【図２】一実施の形態によるナビゲーション装置において表示される操作画面の一例であるメインメニュー画面を示す図である。
【図３】一実施の形態によるナビゲーション装置において表示される操作画面の一例である目的地メニュー画面を示す図である。
【図４】一実施の形態によるナビゲーション装置において表示される操作画面の一例である周辺検索メニュー画面を示す図である。
【図５】一実施の形態によるナビゲーション装置において表示される操作画面の一例である電話番号入力画面を示す図である。
【図６】一実施の形態によるナビゲーション装置において表示される操作画面の一例である周辺検索結果画面を示す図である。
【図７】一実施の形態によるナビゲーション装置において表示される操作画面の一例である設定メニュー画面を示す図である。
【図８】一実施の形態によるナビゲーション装置において表示される操作画面の一例であるランドマーク表示設定画面を示す図である。
【図９】一実施の形態によるナビゲーション装置において表示される各操作画面間の画面遷移図である。
【図１０】一実施の形態によるナビゲーション装置において実行される処理のフローチャートである。
【図１１】操作処理のフローチャートである。
【符号の説明】
【００６５】
１：ナビゲーション装置              １０：制御部
１１：振動ジャイロ                    １２：車速センサ
１３：ＧＰＳ受信部                    １４：ＨＤＤ
１５：表示モニタ                      １６：スピーカ
１７：入力装置
【図１】
2010038620.tif 000003
【図２】
2010038620.tif 000004
【図３】
2010038620.tif 000005
【図４】
2010038620.tif 000006
【図５】
2010038620.tif 000007
【図６】
2010038620.tif 000008
【図７】
2010038620.tif 000009
【図８】
2010038620.tif 000010
【図９】
2010038620.tif 000011
【図１０】
2010038620.tif 000012
【図１１】
2010038620.tif 000013